(57)【要約】【課題】メディアからの画像再生済と未画像再生とを区別し、後に容易に画像再生前の部分を画像再生可能にする。【解決手段】メディアからの画像及び／又は音声を画像再生する画像再生手段２ａ１を有する画像再生システム１において、メディアからの画像再生済の動画、静止画、音声の少なくとも１種と未だ画像再生していない動画、静止画、音声の少なくとも１種とを識別する識別情報を検出する識別手段２ａ２と、画像再生手段を制御して識別情報に基づき画像再生する画像再生制御手段２ａ３とを有する。【選択図】図１
2004289472.tif 000002
【特許請求の範囲】
【請求項１】
メディアからの画像及び／又は音声を画像再生する画像再生手段を有する画像再生システムにおいて、
前記メディアからの画像再生済の動画、静止画、音声の少なくとも１種と未だ画像再生していない動画、静止画、音声の少なくとも１種とを識別する識別情報を検出する識別手段と、
前記画像再生手段を制御して前記識別情報に基づき画像再生する画像再生制御手段とを有することを特徴とする画像再生システム。
【請求項２】
メディアからの画像及び／又は音声を画像再生する画像再生手段を有する画像再生システムにおいて、
前記メディアから別のメディアに複製する複製手段と、
この複製する際に、画像再生済みの動画、静止画、音声の少なくとも１種と未だ画像再生していない動画、静止画、音声の少なくとも１種とを識別する識別情報を前記別のメディアに入れる識別情報入力手段とを有することを特徴とする画像再生システム。
【請求項３】
識別する識別情報は、
画像再生メニュー画面での表示、
ファイル名の変更、
ファイル形式の変更、
ファイルサイズの変更画面サイズの変更、
ファイルの画像再生の単位時間当たりのファイルサイズの変更、
ファイルの圧縮率の変更、
オートスタートポイントの変更、
画像再生済み部分を要約、
画像再生済み部分の内容の複製禁止
の少なくとも１つであることを特徴とする請求項１または請求項２に記載の画像再生システム。
【請求項４】
メディアから別のメディアへの複製をネットワークを通じて注文するメディア複製注文システムであり、
画像再生済みの動画、静止画、音声の少なくとも１種と未だ画像再生していない動画、静止画、音声の少なくとも１種とを送信して注文する際に、画像再生済みと画像再生前を識別する識別情報を付加し、
前記複製する際に、画像再生済みの動画、静止画、音声の少なくとも１種と未だ画像再生していない動画、静止画、音声の少なくとも１種と、前記識別する識別情報とを前記別のメディアに入れることを特徴とするメディア複製注文システム。
【請求項５】
識別する識別情報は、
画像再生メニュー画面での表示、
ファイル名の変更、
ファイル形式の変更、
ファイルサイズの変更画面サイズの変更、
ファイルの画像再生の単位時間当たりのファイルサイズの変更、
ファイルの圧縮率の変更、
オートスタートポイントの変更、
画像再生済み部分を要約、
画像再生済み部分の内容の複製禁止
の少なくとも１つであることを特徴とする請求項４に記載のメディア複製注文システム。
【請求項６】
メディアからプリントを作成するプリント作成システムであり、
前記メディアからの画像再生済みの画像と未だ画像再生していない画像からプリントを作成する際に、画像再生済みと画像再生前を識別する識別情報を付加してプリントすることを特徴とするプリント作成システム。
【請求項７】
前記識別する識別情報とは、
画像の縁取りの違い、
画面サイズの違い、
画像の背景の違い、
画像再生済み部分の内容のプリント禁止
の少なくとも１つであることを特徴とする請求項６に記載のプリント作成システム。
【請求項８】
メディアから通信手段を用いて内容を送信することが可能な送信システムであり、
前記メディアから内容を送信する際に、前記メディアの画像再生済みの画像及び／又は音声と、未だ画像再生していない画像及び／又は音声とを識別する識別情報を付加することを特徴とする送信システム。
【請求項９】
前記識別する識別情報は、
送信する画像再生プログラムのオートスタートポイントの変更、
送信する画像再生プログラムのメニュー画面での表示、
ファイル名の変更画像再生メニュー画面での表示、
ファイル名の変更ファイル形式の変更、
ファイルサイズの変更、
画面サイズの変更、
ファイルの圧縮率、
オートスタートポイントの変更、
画像再生済み部分の内容の複製禁止
の少なくとも１つであることを特徴とする請求項８に記載の送信システム。
【請求項１０】
通信相手の記憶容量及び／又は表示画像サイズ、音声再生機能の性能に応じ、その性能内で表現できる最適の形式までファイル形式、ファイルサイズを変更して送信することを特徴とする請求項９に記載の送信システム。
【請求項１１】
メディアからの画像及び／又は音声を画像再生する画像再生方法において、
前記メディアからの画像再生済の動画、静止画、音声の少なくとも１種と未だ画像再生していない動画、静止画、音声の少なくとも１種とを識別する識別情報を検出し、
この検出した識別情報に基づき画像再生することを特徴とする画像再生方法。
【請求項１２】
メディアからの画像及び／又は音声を画像再生する画像再生方法において、
前記メディアから別のメディアに複製する際に、画像再生済みの動画、静止画、音声の少なくとも１種と未だ画像再生していない動画、静止画、音声の少なくとも１種とを識別する識別情報を前記別のメディアに入れることを特徴とする画像再生方法。
【請求項１３】
識別する識別情報は、
画像再生メニュー画面での表示、
ファイル名の変更、
ファイル形式の変更、
ファイルサイズの変更画面サイズの変更、
ファイルの画像再生の単位時間当たりのファイルサイズの変更、
ファイルの圧縮率の変更、
オートスタートポイントの変更、
画像再生済み部分を要約、
画像再生済み部分の内容の複製禁止
の少なくとも１つであることを特徴とする請求項１または請求項２に記載の画像再生方法。
【請求項１４】
メディアから別のメディアへの複製をネットワークを通じて注文するメディア複製注文方法であり、
画像再生済みの動画、静止画、音声の少なくとも１種と未だ画像再生していない動画、静止画、音声の少なくとも１種とを送信して注文する際に、画像再生済みと画像再生前を識別する識別情報を付加し、
前記複製する際に、画像再生済みの動画、静止画、音声の少なくとも１種と未だ画像再生していない動画、静止画、音声の少なくとも１種と、前記識別する識別情報とを前記別のメディアに入れることを特徴とするメディア複製注文方法。
【請求項１５】
識別する識別情報は、
画像再生メニュー画面での表示、
ファイル名の変更、
ファイル形式の変更、
ファイルサイズの変更画面サイズの変更、
ファイルの画像再生の単位時間当たりのファイルサイズの変更、
ファイルの圧縮率の変更、
オートスタートポイントの変更、
画像再生済み部分を要約、
画像再生済み部分の内容の複製禁止
の少なくとも１つであることを特徴とする請求項４に記載のメディア複製注文方法。
【請求項１６】
メディアからプリントを作成するプリント作成方法であり、前記メディアからの画像再生済みの画像と未だ画像再生していない画像からプリントを作成する際に、画像再生済みと画像再生前を識別する識別情報を付加してプリントすることを特徴とするプリント作成方法。
【請求項１７】
前記識別する識別情報とは、
画像の縁取りの違い、
画面サイズの違い、
画像の背景の違い、
画像再生済み部分の内容のプリント禁止
の少なくとも１つであることを特徴とする請求項１６に記載のプリント作成方法。
【請求項１８】
メディアから通信手段を用いて内容を送信することが可能な送信方法であり、
前記メディアから内容を送信する際に、前記メディアの画像再生済みの画像及び／又は音声と、未だ画像再生していない画像及び／又は音声とを識別する識別情報を付加することを特徴とする送信方法。
【請求項１９】
前記識別する識別情報は、
送信する画像再生プログラムのオートスタートポイントの変更、
送信する画像再生プログラムのメニュー画面での表示、
ファイル名の変更画像再生メニュー画面での表示、
ファイル名の変更ファイル形式の変更、
ファイルサイズの変更、
画面サイズの変更、
ファイルの圧縮率、
オートスタートポイントの変更、
画像再生済み部分の内容の複製禁止
の少なくとも１つであることを特徴とする請求項１８に記載の送信方法。
【請求項２０】
通信相手の記憶容量及び／又は表示画像サイズ、音声再生機能の性能に応じ、その性能内で表現できる最適の形式までファイル形式、ファイルサイズを変更して送信することを特徴とする請求項１９に記載の送信方法。
【発明の詳細な説明】
【０００１】
【発明の属する技術分野】
この発明は、メディアからの画像及び／又は音声を画像再生する画像再生システム、メディア複製注文システム、プリント作成システム、送信システム、画像再生方法、メディア複製注文方法、プリント作成方法及び送信方法に関する。
【０００２】
【従来の技術】
例えば結婚式から披露宴の映像をＤＶＤやビデオテープ等のメディアに記録し、後日結婚式や披露宴に出席しなかった人の訪問を受けた場合に、プレーヤーにセットしてテレビやパソコン等に映して見せることがある。また、海外旅行の映像等も同様にＤＶＤやビデオテープ等のメディアに記録し、両親が訪ねてきた場合に、映して見せることがある（例えば特許文献１、特許文献２）。
【０００３】
【特許文献１】
特開２０００−３３９９３３号公報（第１〜第２２頁、図１〜図１９）
【０００４】
【特許文献２】
特開平９−９２００号公報（第１〜第５頁、図１〜図５）
【０００５】
【発明が解決しようとする課題】
ところで、特に結婚式から披露宴までは時間が長く、あるいは海外旅行の映像を両親に全部見せたいと思うことがおおいが、訪問時間に制限がある場合等には、メディアに記録された映像を全部、訪問者に見せることができないことがある。
【０００６】
この発明は、かかる点に鑑みてなされたもので、メディアからの画像再生済と画像再生前とを区別し、後に容易に画像再生前の部分を画像再生可能にする画像再生システム、メディア複製注文システム、プリント作成システム、送信システム、画像再生方法、メディア複製注文方法、プリント作成方法及び送信方法を提供することを目的としている。
【０００７】
【課題を解決するための手段】
前記課題を解決し、かつ目的を達成するために、この発明は、以下のように構成した。
【０００８】
請求項１に記載の発明は、メディアからの画像及び／又は音声を画像再生する画像再生手段を有する画像再生システムにおいて、
前記メディアからの画像再生済の動画、静止画、音声の少なくとも１種と未だ画像再生していない動画、静止画、音声の少なくとも１種とを識別する識別情報を検出する識別手段と、
前記画像再生手段を制御して前記識別情報に基づき画像再生する画像再生制御手段とを有することを特徴とする画像再生システムである。
【０００９】
この請求項１に記載の発明によれば、メディアからの画像再生済と画像再生前を識別する識別情報を検出し、識別情報に基づき画像再生することで、後に容易に画像再生前の部分を画像再生することができる。
【００１０】
請求項２に記載の発明は、メディアからの画像及び／又は音声を画像再生する画像再生手段を有する画像再生システムにおいて、
前記メディアから別のメディアに複製する複製手段と、
この複製する際に、画像再生済みの動画、静止画、音声の少なくとも１種と未だ画像再生していない動画、静止画、音声の少なくとも１種とを識別する識別情報を前記別のメディアに入れる識別情報入力手段とを有することを特徴とする画像再生システムである。
【００１１】
この請求項２に記載の発明によれば、メディアから別のメディアに複製する際に、画像再生済みと画像再生前を識別する識別情報を別のメディアに入れることで、別のメディアの識別情報を検出し、識別情報に基づき画像再生することで、後に容易に画像再生前の部分を画像再生することができる。
【００１２】
請求項３に記載の発明は、識別する識別情報は、
画像再生メニュー画面での表示、
ファイル名の変更、
ファイル形式の変更、
ファイルサイズの変更画面サイズの変更、
ファイルの画像再生の単位時間当たりのファイルサイズの変更、
ファイルの圧縮率の変更、
オートスタートポイントの変更、
画像再生済み部分を要約、
画像再生済み部分の内容の複製禁止
の少なくとも１つであることを特徴とする請求項１または請求項２に記載の画像再生システムである。
【００１３】
この請求項３に記載の発明によれば、メディアに応じて好ましい識別情報とすることができる。
【００１４】
請求項４に記載の発明は、メディアから別のメディアへの複製をネットワークを通じて注文するメディア複製注文システムであり、
画像再生済みの動画、静止画、音声の少なくとも１種と未だ画像再生していない動画、静止画、音声の少なくとも１種とを送信して注文する際に、画像再生済みと画像再生前を識別する識別情報を付加し、
前記複製する際に、画像再生済みの動画、静止画、音声の少なくとも１種と未だ画像再生していない動画、静止画、音声の少なくとも１種と、前記識別する識別情報とを前記別のメディアに入れることを特徴とするメディア複製注文システムである。
【００１５】
この請求項４に記載の発明によれば、メディアから別のメディアへの複製をネットワークを通じて注文し、識別する識別情報とを別のメディアに入れることで、後に容易に画像再生前の部分を画像再生することができる。
【００１６】
請求項５に記載の発明は、識別する識別情報は、
画像再生メニュー画面での表示、
ファイル名の変更、
ファイル形式の変更、
ファイルサイズの変更画面サイズの変更、
ファイルの画像再生の単位時間当たりのファイルサイズの変更、
ファイルの圧縮率の変更、
オートスタートポイントの変更、
画像再生済み部分を要約、
画像再生済み部分の内容の複製禁止
の少なくとも１つであることを特徴とする請求項４に記載のメディア複製注文システムである。
【００１７】
この請求項５に記載の発明によれば、メディアから別のメディアへの複製をネットワークを通じて注文し、メディアに応じて好ましい識別情報とすることができる。
【００１８】
請求項６に記載の発明は、メディアからプリントを作成するプリント作成システムであり、
前記メディアからの画像再生済みの画像と未だ画像再生していない画像からプリントを作成する際に、画像再生済みと画像再生前を識別する識別情報を付加してプリントすることを特徴とするプリント作成システムである。
【００１９】
この請求項６に記載の発明によれば、画像再生済みと画像再生前を識別する識別情報を付加してプリントすることで、後に容易に画像再生前の部分を見せることができる。
【００２０】
請求項７に記載の発明は、前記識別する識別情報とは、
画像の縁取りの違い、
画面サイズの違い、
画像の背景の違い、
画像再生済み部分の内容のプリント禁止
の少なくとも１つであることを特徴とする請求項６に記載のプリント作成システムである。
【００２１】
この請求項７に記載の発明によれば、画像再生済みと画像再生前とを識別する識別情報を付加してプリントし、プリントに応じて好ましい識別情報とすることができる。
【００２２】
請求項８に記載の発明は、メディアから通信手段を用いて内容を送信することが可能な送信システムであり、
前記メディアから内容を送信する際に、前記メディアの画像再生済みの画像及び／又は音声と、未だ画像再生していない画像及び／又は音声とを識別する識別情報を付加することを特徴とする送信システムである。
【００２３】
この請求項８に記載の発明によれば、メディアから通信手段を用いて内容を送信し、メディアから内容を送信する際に、メディアからの画像再生済と画像再生前を識別する識別情報を付加することで、後に容易に画像再生前の部分を画像再生することができる。
【００２４】
請求項９に記載の発明は、前記識別する識別情報は、
送信する画像再生プログラムのオートスタートポイントの変更、
送信する画像再生プログラムのメニュー画面での表示、
ファイル名の変更画像再生メニュー画面での表示、
ファイル名の変更ファイル形式の変更、
ファイルサイズの変更、
画面サイズの変更、
ファイルの圧縮率、
オートスタートポイントの変更、
画像再生済み部分の内容の複製禁止
の少なくとも１つであることを特徴とする請求項８に記載の送信システムである。
【００２５】
この請求項９に記載の発明によれば、メディアから通信手段を用いて内容を送信し、メディアから内容の送信に応じて好ましい識別情報とすることができる。
【００２６】
請求項１０に記載の発明は、通信相手の記憶容量及び／又は表示画像サイズ、音声再生機能の性能に応じ、その性能内で表現できる最適の形式までファイル形式、ファイルサイズを変更して送信することを特徴とする請求項９に記載の送信システムである。
【００２７】
この請求項１０に記載の発明によれば、通信相手の記憶容量及び／又は表示画像サイズ、音声再生機能の性能に応じた送信が可能である。
【００２８】
請求項１１に記載の発明は、メディアからの画像及び／又は音声を画像再生する画像再生方法において、
前記メディアからの画像再生済の動画、静止画、音声の少なくとも１種と未だ画像再生していない動画、静止画、音声の少なくとも１種とを識別する識別情報を検出し、
この検出した識別情報に基づき画像再生することを特徴とする画像再生方法である。
【００２９】
この請求項１１に記載の発明によれば、メディアからの画像再生済と画像再生前を識別する識別情報を検出し、識別情報に基づき画像再生することで、後に容易に画像再生前の部分を画像再生することができる。
【００３０】
請求項１２に記載の発明は、メディアからの画像及び／又は音声を画像再生する画像再生方法において、
前記メディアから別のメディアに複製する際に、画像再生済みの動画、静止画、音声の少なくとも１種と未だ画像再生していない動画、静止画、音声の少なくとも１種とを識別する識別情報を前記別のメディアに入れることを特徴とする画像再生方法である。
【００３１】
この請求項１２に記載の発明によれば、メディアから別のメディアに複製する際に、画像再生済みと画像再生前を識別する識別情報を別のメディアに入れることで、別のメディアの識別情報を検出し、識別情報に基づき画像再生することで、後に容易に画像再生前の部分を画像再生することができる。
【００３２】
請求項１３に記載の発明は、識別する識別情報は、
画像再生メニュー画面での表示、
ファイル名の変更、
ファイル形式の変更、
ファイルサイズの変更画面サイズの変更、
ファイルの画像再生の単位時間当たりのファイルサイズの変更、
ファイルの圧縮率の変更、
オートスタートポイントの変更、
画像再生済み部分を要約、
画像再生済み部分の内容の複製禁止
の少なくとも１つであることを特徴とする請求項１または請求項２に記載の画像再生方法である。
【００３３】
この請求項１３に記載の発明によれば、メディアに応じて好ましい識別情報とすることができる。
【００３４】
請求項１４に記載の発明は、メディアから別のメディアへの複製をネットワークを通じて注文するメディア複製注文方法であり、
画像再生済みの動画、静止画、音声の少なくとも１種と未だ画像再生していない動画、静止画、音声の少なくとも１種とを送信して注文する際に、画像再生済みと画像再生前を識別する識別情報を付加し、
前記複製する際に、画像再生済みの動画、静止画、音声の少なくとも１種と未だ画像再生していない動画、静止画、音声の少なくとも１種と、前記識別する識別情報とを前記別のメディアに入れることを特徴とするメディア複製注文方法である。
【００３５】
この請求項１４に記載の発明によれば、メディアから別のメディアへの複製をネットワークを通じて注文し、識別する識別情報とを別のメディアに入れることで、後に容易に画像再生前の部分を画像再生することができる。
【００３６】
請求項１５に記載の発明は、識別する識別情報は、
画像再生メニュー画面での表示、
ファイル名の変更、
ファイル形式の変更、
ファイルサイズの変更画面サイズの変更、
ファイルの画像再生の単位時間当たりのファイルサイズの変更、
ファイルの圧縮率の変更、
オートスタートポイントの変更、
画像再生済み部分を要約、
画像再生済み部分の内容の複製禁止
の少なくとも１つであることを特徴とする請求項４に記載のメディア複製注文方法である。
【００３７】
この請求項１５に記載の発明によれば、メディアから別のメディアへの複製をネットワークを通じて注文し、メディアに応じて好ましい識別情報とすることができる。
【００３８】
請求項１６に記載の発明は、メディアからプリントを作成するプリント作成方法であり、
前記メディアからの画像再生済みの画像と未だ画像再生していない画像からプリントを作成する際に、画像再生済みと画像再生前を識別する識別情報を付加してプリントすることを特徴とするプリント作成方法である。
【００３９】
この請求項１６に記載の発明によれば、画像再生済みと画像再生前を識別する識別情報を付加してプリントすることで、後に容易に画像再生前の部分を見せることができる。
【００４０】
請求項１７に記載の発明は、前記識別する識別情報とは、
画像の縁取りの違い、
画面サイズの違い、
画像の背景の違い、
画像再生済み部分の内容のプリント禁止
の少なくとも１つであることを特徴とする請求項１６に記載のプリント作成方法である。
【００４１】
この請求項１７に記載の発明によれば、画像再生済みと画像再生前を識別する識別情報を付加してプリントし、プリントに応じて好ましい識別情報とすることができる。
【００４２】
請求項１８に記載の発明は、メディアから通信手段を用いて内容を送信することが可能な送信方法であり、
前記メディアから内容を送信する際に、前記メディアの画像再生済みの画像及び／又は音声と、未だ画像再生していない画像及び／又は音声とを識別する識別情報を付加することを特徴とする送信方法である。
【００４３】
この請求項１８に記載の発明によれば、メディアから通信手段を用いて内容を送信し、メディアから内容を送信する際に、メディアからの画像再生済と画像再生前を識別する識別情報を付加することで、後に容易に画像再生前の部分を画像再生することができる。
【００４４】
請求項１９に記載の発明は、前記識別する識別情報は、
送信する画像再生プログラムのオートスタートポイントの変更、
送信する画像再生プログラムのメニュー画面での表示、
ファイル名の変更画像再生メニュー画面での表示、
ファイル名の変更ファイル形式の変更、
ファイルサイズの変更、
画面サイズの変更、
ファイルの圧縮率、
オートスタートポイントの変更、
画像再生済み部分の内容の複製禁止
の少なくとも１つであることを特徴とする請求項１８に記載の送信方法である。
【００４５】
この請求項１９に記載の発明によれば、メディアから通信手段を用いて内容を送信し、メディアから内容の送信に応じて好ましい識別情報とすることができる。
【００４６】
請求項２０に記載の発明は、通信相手の記憶容量及び／又は表示画像サイズ、音声再生機能の性能に応じ、その性能内で表現できる最適の形式までファイル形式、ファイルサイズを変更して送信することを特徴とする請求項１９に記載の送信方法である。
【００４７】
この請求項２０に記載の発明によれば、通信相手の記憶容量及び／又は表示画像サイズ、音声再生機能の性能に応じた送信が可能である。
【００４８】
【発明の実施の形態】
以下、この発明の画像再生システム、メディア複製注文システム、プリント作成システム、送信システム、画像再生方法、メディア複製注文方法、プリント作成方法及び送信方法の実施の形態を図面に基づいて説明するが、この発明は、この実施の形態に限定されない。
【００４９】
まず、この実施の形態の画像再生システム及び画像再生方法を説明する。図１は画像再生システムの概略構成図である。
【００５０】
この実施の形態の画像再生システム１の装置本体２には、ビデオカメラ、デジタルカメラ等の入力機器３、ビデオテープ、ＤＶＤ、ＣＤ等の入力メディア４、放送、ネットワーク等の回線５等が接続され、操作部９からの操作によって画像及び／又は音声が入力される。
【００５１】
また、装置本体２には、コントロール部２ａ、ＨＤＤまたは固体メモリ等のメモリ２ｂが備えられる。コントロール部２ａは、画像再生手段２ａ１、識別手段２ａ２、画像再生制御手段２ａ３を有し、画像再生手段２ａ１はメディアからの画像及び／又は音声を表示装置６、音響装置７に出力して画像再生し、あるいは出力メディア８に複製される。
【００５２】
コントロール部２ａは、画像及び／又は音声をメモリ２ｂに記憶することができ、このメモリ２ｂはＨＤＤまたは固体メモリで構成される。この画像及び／又は音声が記憶されたメモリ２ｂもメディアを構成する。また、メディアを構成する入力メディア４は、ＤＶＤ、ＣＤ、ＳＤメモリカード、スマートメディア、メモリースティック、マルチメディアカード、ＸＤピクチャーカード、コンパクトフラッシュ（登録商標）カード、その他のフラッシュメモリーカード等である。
【００５３】
識別手段２ａ２は、メディアからの画像再生済の動画、静止画、音声の少なくとも１種と未だ画像再生していない動画、静止画、音声の少なくとも１種とを識別する識別情報を検出する。この識別する識別情報は、例えば、メディアに、図２に示すように、画像再生済みリスト１０と画像再生待ちリスト１１とがテキスト形式で記録されており、ｊｐｇは静止画、ｍｐ３は音楽、ａｖｉは動画を示している。
【００５４】
画像再生制御手段２ａ３は、画像再生手段２ａ１を制御して識別情報に基づき、未だ画像再生していない動画、静止画、音声の画像再生を行なう。このように、メディアからの画像再生済と画像再生前とを識別する識別情報を検出し、識別情報に基づき画像再生することで、後に容易に画像再生前の部分を画像再生することができる。
【００５５】
この実施の形態の識別する識別情報は、画像再生メニュー画面での表示、ファイル名の変更、ファイル形式の変更、ファイルサイズの変更画面サイズの変更、ファイルの画像再生の単位時間当たりのファイルサイズの変更、ファイルの圧縮率の変更、オートスタートポイントの変更、画像再生済み部分を要約、画像再生済み部分の内容の複製禁止の少なくとも１つであり、メディアに応じて好ましい識別情報とすることができる。ここで、画面サイズの変更は、画像再生済みは画面サイズを小さくする。また、ファイルの画像再生の単位時間あたりのファイルサイズの変更は、画像の画面サイズの違いとし、画像再生済みは、画面サイズを小さくする。また、圧縮率の違いとし、画像再生済みは高圧縮する。
【００５６】
図３は画像再生システムの他の実施の形態の概略構成図である。
【００５７】
この実施の形態の画像再生システム１は、図１及び図２と同様に構成されるものは、同じ符号を付して説明を省略する。この実施の形態の画像再生システム１には、複製メディア装填装置５０が設けられ、この複製メディア装填装置５０に別のメディア８が装填される。
【００５８】
コントロール部２ａは、複製手段２ａ４と識別情報入力手段２ａ５とを有し、操作部９の操作によって、別の出力メディア８に複製が行なわれる。この複製を行なう場合、複製手段２ａ４は、メディアから別のメディア８に複製するが、この複製する際に、操作部９の操作によって、識別情報入力手段２ａ５は、画像再生済みの動画、静止画、音声の少なくとも１種と未だ画像再生していない動画、静止画、音声の少なくとも１種とを識別する識別情報を別のメディア８に入れる。
【００５９】
例えば、メディアに結婚式から披露宴までの映像が記録されている場合等に、画像再生時間が長く全部見ることができない場合に、メディアから別のメディア８に複製して訪問者に渡すことがあるが、この複製の際に、画像再生済みと画像再生前を識別する識別情報を別のメディア８に入れる。この別のメディア８を受け取った訪問者は、後日別のメディア８を画像再生システム１で画像再生するとき、識別情報を検出し、識別情報に基づき画像再生することで、容易に画像再生前の部分を画像再生することができる。
【００６０】
図４はメディア複製注文システムの実施の形態の概略構成図である。この実施の形態のメディア複製注文システム２０は、図３に示す画像再生システム１を用いてメディアから別のメディア８への複製を操作部９の操作によってネットワーク２１を通じて注文し、メディア作成センター２２等に設置されるメディア複製装置２３で別のメディア８が複製される。この別のメディア８は注文者によって指定された者に配送される。
【００６１】
このメディア複製注文システム２０では、画像再生システム１で画像再生済みの動画、静止画、音声の少なくとも１種と未だ画像再生していない動画、静止画、音声の少なくとも１種とを送信して注文する際に、画像再生済みと画像再生前を識別する識別情報を付加し、メディア複製装置２３で複製する際に、画像再生済みの動画、静止画、音声の少なくとも１種と未だ画像再生していない動画、静止画、音声の少なくとも１種と、識別する識別情報とを別のメディア８に入れる。
【００６２】
この識別する識別情報は、図１及び図２と同様なものが用いられ、メディアから別のメディア８への複製をネットワーク２１を通じて注文し、メディアに応じて好ましい識別情報とすることができる。
【００６３】
このメディアから別のメディア８への複製をネットワーク２１を通じて注文し、識別する識別情報とを別のメディア８に入れることで、後に容易に画像再生前の部分を画像再生することができる。
【００６４】
図５はプリント作成システムの実施の形態の概略構成図である。この実施の形態のプリント作成システム３０は、メディアからプリントを作成する。
【００６５】
画像再生システム１の装置本体２にプリンタ３１が接続され、メディアからの画像再生済みの画像と未だ画像再生していない画像をプリンタ３１でプリントする際に、プリント作成手段２ａ６によって画像再生済みと画像再生前を識別する識別情報を付加してプリントする。
【００６６】
この識別する識別情報とは、画像の縁取りの違い、画面サイズの違い、画像の背景の違い、画像再生済み部分の内容のプリント禁止の少なくとも１つである。画像再生済みと画像再生前を識別する識別情報を付加してプリントする場合に、プリントに応じて好ましい識別情報とすることができる。
【００６７】
このように、画像再生済みと画像再生前を識別する識別情報を付加してプリントすることで、後に容易に画像再生前の部分を見せることができる。
【００６８】
図６は送信システムの実施の形態の概略構成図である。この実施の形態の送信システム４０は、図３の画像再生システム１同士で送信可能に構成され、メディアから通信手段４１を用いて内容を送信することが可能である。
【００６９】
この送信システム４０では、メディアから内容を送信する際に、メディアの画像再生済みの画像及び／又は音声と、未だ画像再生していない画像及び／又は音声とを識別する識別情報を識別情報入力手段２ａ５により付加する。
【００７０】
このように、メディアから通信手段３１を用いて内容を送信し、メディアから内容を送信する際に、メディアからの画像再生済と画像再生前を識別する識別情報を付加することで、後に容易に画像再生前の部分を画像再生することができる。
【００７１】
識別する識別情報は、送信する画像再生プログラムのオートスタートポイントの変更、送信する画像再生プログラムのメニュー画面での表示、ファイル名の変更画像再生メニュー画面での表示、ファイル名の変更ファイル形式の変更、ファイルサイズの変更、画面サイズの変更、ファイルの圧縮率、オートスタートポイントの変更、画像再生済み部分の内容の複製禁止の少なくとも１つであり、メディアから通信手段４１を用いて内容を送信し、メディアから内容の送信に応じて好ましい識別情報とすることができる。
【００７２】
この送信システム４０では、通信相手の記憶容量及び／又は表示画像サイズ、音声再生機能の性能に応じ、その性能内で表現できる最適の形式までファイル形式、ファイルサイズを変更して送信する。
【００７３】
次に、この発明のシステムを図７乃至図１１に基づいてさらに詳細に説明する。図７はシステムの概略構成図、図８は装置本体の操作部の正面図、図９は複製の場合の画面表示を示す図、図１０はメール送付の場合の画面表示を示す図、図１１はメディア注文の場合の画面表示を示す図である。
【００７４】
この実施の形態のシステム１００は、装置本体１０１に、ビデオカメラ、デジタルカメラ等の入力機器１０２、ビデオテープ、ＤＶＤ、ＣＤ等の入力メディア１０３、放送、ネットワーク等の回線１０４から画像及び／又は音声が入力される。装置本体１０１には、コントロール部１０１ａ、ＨＤＤまたは固体メモリ等のメモリ１０１ｂが備えられ、表示装置１１０、音響装置１１１に出力して画像再生され、あるいは出力メディア１１３に複製される。
【００７５】
このシステム１００は、図８に示すように、操作部１２０のＰＬＡＹボタン１２１を押すと画像再生が開始され、画像再生表示画面１２２にあるメディアのソフト、またはプログラムの画像再生状態が表示され、画像再生を５５％まで再生したところを示している。
【００７６】
例えば、メディアに記録された映像を全部、訪問者に見せることができないことがあるが、この場合には、持ち帰り用に、その場で画像再生済みで見た部分と、画像再生しないで見ていない部分を明確に分かる形で、例えば複製でメディアに書き込む、またメール送付を行なう、あるいはメディアの注文等で対応する。
【００７７】
このように、画像再生済みで見た部分と、画像再生しないで見ていない部分を明確に分かるように識別する識別情報は、図２に示したようにする。また、例えば複製されたメディアを持ち帰り、他の装置本体で画像再生する場合に、メニュー画面での色分けにより明確に分かる形にする。また、オートスタートのポイントを見ていない部分の先頭にすることで明確に分かる形にする。また、見た部分と見ていない部分とで、ファイル形式を変えることで明確に分かる形にする。例えば、見た部分の動画は静止画像にしてファイルサイズ（ファイルのシェア率）を小さくする。見た部分の動画はさらに時間を縮めることでファイルサイズ（ファイルのシェア率）を小さくする。見た部分の画面サイズまたは圧縮率を変えてファイルサイズ（ファイルのシェア率）を小さくする。
【００７８】
例えば、プリントアウトにおいても、見た部分と見ていない部分を、写真の縁取りを変えるなどする。
【００７９】
見ていない部分を通信手段で客に送り届ける。この場合、客が携帯電話やＰＤＡを所持し、それにて続きを見たいと希望したときは、その機能（記憶容量、表示画像の大きさの制限、音声機能のレベルや有無）に従って画像の大きさや画像のサイズを再設定し、送信する。送信は、インターネット、携帯通信回線、またローカルなネットワーク（無線ＬＡＮ、Ｂｌｕｅｔｏｏｔｈ）などの、どの手段でもよい。
【００８０】
また、見ていない部分を収録したメデイアの作成を注文できる。
【００８１】
次に、複製する場合について説明する。複製する場合は、ＳＴＯＰボタン１２３を押して画像再生の再生を止めて、ＲＥＳＴ  ＤＵＢＢＩＮＧボタン１２４を押すと、残りのソフト、またはプログラムの複製が始まる。その画面表示は、操作部１２０の操作表示画面１２５に、図９（ａ）に示すように、「ダビングするメデイアをお選びください」と表示される。
【００８２】
操作部１２０には、複製メディア選択部１２６が設けられており、複製メディア選択部１２６には、ＤＶＤ選択ボタン１２６ａ、ビデオテープ選択ボタン１２６ｂ、ＣＤ選択ボタン１２６ｃ、メモリカード選択ボタン１２６ｄ等が設けられている。
【００８３】
複製メディア選択部１２６でメディアの種類を選択すると、図９（ｂ）に示すように、「ダビングするメディアを装着してください」が表示され、選択したメディアを装着すると複製を開始する。
【００８４】
ダビング中の画面表示が、図９（ｂ）に示すように、「続きはＤＶＤにてお楽しみください」、「ただいまダビング中２５％完了」等のようになり、画像再生済みで見た部分と、画像再生しないで見ていない部分を明確に分かるように識別する識別情報も付されて複製される。
【００８５】
メール送付を行なう場合は、操作部１２０のＳＴＯＰボタン１２３を押して画像再生の再生を止めて、ＲＥＳＴ  Ｓｅｎｄ  Ｍａｉｌボタン１２７を押すと、残りのソフト、またはプログラムの複製が始まる。
【００８６】
その画面表示は、操作部１２０の操作表示画面１２５に、図１０（ａ）に示すように、「送付するメールアドレスをお選びください」、「送付するメールアドレスを入力してください」と表示され、送付するメールアドレスの選択１３０、あるいは操作部１２０に接続した図示しないキーボード等によって送付するメールアドレスの入力１３１を行なうと、メール送信中の画面表示が、操作表示画面１２５に、図１０（ｂ）に示すように、「続きはメールにてお送りするファイルにてお楽しみください」、「ただいまメール送信中２５％完了」等のようになり、画像再生済みで見た部分と、画像再生しないで見ていない部分を明確に分かるように識別する識別情報も付されて送信される。
【００８７】
メディアの注文の場合は、操作部１２０のＳＴＯＰボタン１２３を押して画像再生の再生を止めて、ＲＥＳＴ  Ｏｒｄｅｒ  Ｄｉｓｋボタン１２８を押すと、残りのソフト、またはプログラムを収録したメディア６の注文が始まる。
【００８８】
その画面表示は、操作部１２０の操作表示画面１２５に、図１１（ａ）に示すように、「注文するメディアをお選びください」、ここでＤＶＤ、ＣＤ、メモリカード、ビデオテープ、その他１３２から様々なメディアを、操作部１２０に接続した図示しないキーボード等によって選択できる。そして、「送付する宛先を入力してください」の画面表示から作成したメディアを送る送り先１３３を操作部１２０に接続した図示しないキーボード等によって指定する。
【００８９】
この注文でデータ送信中の画面は、図１１（ｂ）に示すように、「続きはお送りするメディアにてお楽しみください」、「ただいまデータ送信中２５％完了」であり、画像再生済みで見た部分と、画像再生しないで見ていない部分を明確に分かるように識別する識別情報も付されて注文される。
【００９０】
なお、入力メディアの内容を装置本体２のメモリに複製した内容に対しても、単独の入力メディアに対する本発明の適用と同じことを適用できるものとする。
【００９１】
【発明の効果】
前記したように、請求項１及び請求項１１に記載の発明では、メディアからの画像再生済と画像再生前を識別する識別情報を検出し、識別情報に基づき画像再生することで、後に容易に画像再生前の部分を画像再生することができる。
【００９２】
請求項２及び請求項１２に記載の発明では、メディアから別のメディアに複製する際に、画像再生済みと画像再生前を識別する識別情報を別のメディアに入れることで、別のメディアの識別情報を検出し、識別情報に基づき画像再生することで、後に容易に画像再生前の部分を画像再生することができる。
【００９３】
請求項３及び請求項１３に記載の発明では、メディアに応じて好ましい識別情報とすることができる。
【００９４】
請求項４及び請求項１４に記載の発明では、メディアから別のメディアへの複製をネットワークを通じて注文し、識別する識別情報とを別のメディアに入れることで、後に容易に画像再生前の部分を画像再生することができる。
【００９５】
請求項５及び請求項１５に記載の発明では、メディアから別のメディアへの複製をネットワークを通じて注文し、メディアに応じて好ましい識別情報とすることができる。
【００９６】
請求項６及び請求項１６に記載の発明では、画像再生済みと画像再生前を識別する識別情報を付加してプリントすることで、後に容易に画像再生前の部分を見せることができる。
【００９７】
請求項７及び請求項１７に記載の発明では、画像再生済みと画像再生前を識別する識別情報を付加してプリントし、プリントに応じて好ましい識別情報とすることができる。
【００９８】
請求項８及び請求項１８に記載の発明では、メディアから通信手段を用いて内容を送信し、メディアから内容を送信する際に、メディアからの画像再生済と画像再生前を識別する識別情報を付加することで、後に容易に画像再生前の部分を画像再生することができる。
【００９９】
請求項９及び請求項１９に記載の発明では、メディアから通信手段を用いて内容を送信し、メディアから内容の送信に応じて好ましい識別情報とすることができる。
【０１００】
請求項１０及び請求項２０に記載の発明では、通信相手の記憶容量及び／又は表示画像サイズ、音声再生機能の性能に応じた送信が可能である。
【図面の簡単な説明】
【図１】画像再生システムの概略構成図である。
【図２】画像再生済みリストと画像再生待ちリストを示す図である。
【図３】画像再生システムの他の実施の形態の概略構成図である。
【図４】メディア複製注文システムの実施の形態の概略構成図である。
【図５】プリント作成システムの実施の形態の概略構成図である。
【図６】送信システムの実施の形態の概略構成図である。
【図７】システムの概略構成図である。
【図８】装置本体の操作部の正面図である。
【図９】複製の場合の画面表示を示す図である。
【図１０】メール送付の場合の画面表示を示す図である。
【図１１】メディア注文の場合の画面表示を示す図である。
【符号の説明】
１  画像再生システム
２  装置本体
２ａ  コントロール部
２ａ１  画像再生手段
２ａ２  識別手段
２ａ３  画像再生制御手段
２ａ４  複製手段
２ａ５  識別情報入力手段
２ａ６  プリント作成手段
２ｂ  メモリ
３  入力機器
４  入力メディア
５  放送、ネットワーク等の回線
６  表示装置
７  音響装置
８  出力メディア
３０  プリント作成システム
３１  プリンタ
４０  送信システム
４１  通信手段
５０  複製メディア装填装置
１００  システム
１０１  装置本体
１０２  入力機器
１０３  入力メディア
１０４  放送、ネットワーク等の回線
１１０  表示装置
１１１  音響装置
１１３  出力メディア
【図１】
2004289472.tif 000003
【図２】
2004289472.tif 000004
【図３】
2004289472.tif 000005
【図４】
2004289472.tif 000006
【図５】
2004289472.tif 000007
【図６】
2004289472.tif 000008
【図７】
2004289472.tif 000009
【図８】
2004289472.tif 000010
【図９】
2004289472.tif 000011
【図１０】
2004289472.tif 000012
【図１１】
2004289472.tif 000013